(57)【特許請求の範囲】
【請求項１】
正逆転可能なスクリューコンベヤを水平に支持し、還元処理されたペレット状材料を炉内から抽出する竪筒状の抽出樋の下端部を該スクリューコンベヤの中間部に連通させ、該スクリューコンベヤの両端部に夫々払出樋を設け、該スクリューコンベヤの正逆転によりペレット状材料が両払出樋に払い分けられるようにするとともに、
抽出樋にペレット状材料の堆積量を検知し得るセンサと、該センサからの信号によってスクリューコンベヤを回転させるコントローラとを設け、
炉内への空気の侵入を防止できる一定量のペレット状材料が常に抽出樋に堆積するように該センサからの信号によってスクリューコンベヤを回転させるようにしたことを特徴とする還元ペレット抽出装置。
【請求項２】
払出樋にゲート弁を設けた請求項１に記載の還元ペレット抽出装置。
【請求項３】
払出樋のゲート弁の上流に無酸化性ガスを供給する給気口または無酸化性ガスを発生させるバーナを設けた請求項２に記載の還元ペレット抽出装置。
【発明の詳細な説明】
【０００１】
【発明の属する技術分野】
本発明は炉内にて還元処理されたペレット状材料をスクリューコンベヤによって抽出する還元ペレット抽出装置に関するものである。
【０００２】
【従来の技術】
粉状の金属酸化物（酸化鉄，ニッケル等）と還元材（石炭，コークス等）とを結合材とともに混合し、造粒することにより直径５〜２０ミリのペレットを形成し、このペレット状材料を回転炉床炉等に装入し還元性雰囲気ガスの基で１０００℃程度の高温度に加熱することにより金属を還元処理し回収する方法は、従来からインメテコ法として知られている。
【０００３】
ところで上記回転炉床炉では、還元処理されたペレット状材料が連続的に抽出されるので、その抽出樋が常に開放されており、そのためにドラフト作用で空気が侵入しペレット状材料を再酸化させるおそれがあった。
【０００４】
これを防ぐためには抽出樋に空気を遮断するゲート弁を設けることが考えられるが、回転炉床炉では材料が炉内から休みなく連続的に抽出されるのでゲート弁を閉じることができないとともに、ペレット状材料が該ゲート弁に噛み込むおそれもある等の理由からゲート弁を設けることが困難であった。
【０００５】
また、回転炉床炉から抽出されたペレット状材料を２つの払出樋に払い分けようとして切換弁を設けた場合にも上記のようなペレット状材料の噛み込みの問題が発生するものであった。
【０００６】
【発明が解決しようとする課題】
本発明は上記欠点を解消し、ドラフト作用による空気の侵入を防止するとともに、噛み込みのおそれなくペレット状材料を２つの払出樋に払い分けられるようにした還元ペレット抽出装置を提供するものである。
【０００７】
【課題を解決するための手段】
そのために本発明に係る還元ペレット抽出装置は、正逆転可能なスクリューコンベヤを水平に支持し、還元処理されたペレット状材料を炉内から抽出する竪筒状の抽出樋の下端部を該スクリューコンベヤの略中間部に連通させ、該スクリューコンベヤの両端部に夫々払出樋を設け、該スクリューコンベヤの正逆転によりペレット状材料が両払出樋に払い分けられるようにしたことを特徴とする。
また本発明は上記還元ペレット抽出装置において、抽出樋にペレット状材料の堆積量を検知し得るセンサを設け、抽出樋に常にペレット状材料が一定量堆積するように該センサからの信号によってスクリューコンベヤを回転させるようにしたことを特徴とする。
また本発明は上記還元ペレット抽出装置において、払出樋にゲート弁を設けたことを特徴とする。
また本発明は上記還元ペレット抽出装置において、払出樋のゲート弁の上流に無酸化性ガスを供給する給気口または無酸化性ガスを発生させるバーナを設けたことを特徴とする。
【０００８】
【発明の実施の形態】
次に図面に従い本発明の実施形態を説明する。図１に示した回転炉床形炉は、円筒状の炉体１内に回転炉床２が図示しない動力源によって矢印の方向に低速回転するように設けられ、ペレット状材料３は振動コンベヤ５から回転炉床２上に投入され、該回転炉床２上に乗って炉内を搬送される間に還元性雰囲気の基で高温度に加熱されることにより還元処理され、スクリューコンベヤ６により竪筒状の抽出樋７に排出される。
【０００９】
図２，図３にこの還元ペレット抽出装置の縦断面図を示したように、８はモータ９の作動により正逆転可能なるようにケーシング１０中に水平に支持されたスクリューコンベヤである。該スクリューコンベヤの略中間部に前記抽出樋７を連通させるとともに、該スクリューコンベヤの両端部に夫々払出樋１２，１３を設けている。
【００１０】
１４は抽出樋７に炉内から抽出されたペレット状材料３の堆積量を検知するために設けられたレベルセンサ、１５は該センサ１４からの信号によってスクリューコンベヤ８を回転させるコントローラである。また１６，１７は払出樋１２，１３に設けられたゲート弁、１８，１９は該各ゲート弁を開閉作動させるシリンダである。なお、該各払出樋１２，１３は溶融炉等のペレット状材料の次の工程に連通している。
【００１１】
このように構成した還元ペレット抽出装置では、抽出樋７に抽出されたペレット状材料をスクリューコンベヤ８の回転方向に従い払出樋１２または払出樋１１３に払い分けることができる。また、センサ１４によって抽出樋７に堆積するペレット状材料３を検知し、該抽出樋７中に常に一定量のペレット状材料３が堆積するようにスクリューコンベヤ８の回転を制御することにより、該ペレット状材料３により通路が塞がれドラフト作用により空気が炉内に侵入するのを防ぐ。なお、ゲート弁１６，１７を常時は閉じておくことによりさらに確実に空気の侵入を防ぐことができる。そして、ゲート弁１６，１７を閉作動させる時には上方からペレット状材料が流落しないようにスクリューコンベヤ８の回転を制御することで、該ゲート弁１６，１７にペレット状材料が噛み込むようなおそれを簡単に回避することができる。
【００１２】
なお、払出樋１２，１３のゲート弁１６，１７の上流に無酸化性ガスを供給する給気口または無酸化性ガスを発生させるバーナ２０，２１等を設け、該払出樋１２，１３内に無酸化性ガスが充満するようにすれば、還元処理されたペレット状材料の再酸化を防止するとともに、該ペレット状材料の冷却を防ぐうえでさらに望ましい。
【００１３】
【発明の効果】
このように本発明に係る還元ペレット抽出装置は、還元処理されたペレット状材料を炉内から抽出する竪筒状の抽出樋の下端部をスクリューコンベヤの略中間部に連通させ、該スクリューコンベヤを正逆転することによりペレット状材料を噛み込みのおそれなく２つの払出樋に払い分けられる。また、スクリューコンベヤの回転を制御することによって抽出樋に常に一定量のペレット状材料を堆積させておくことで、ドラフト作用による空気の侵入が抑えられ、ペレット状材料の再酸化が防止されるなど有益な効果がある。
【図面の簡単な説明】
【図１】本発明の実施形態である還元ペレット抽出装置を設けた回転炉床形炉の水平断面平面図。
【図２】図１のＡ−Ａ線断面拡大図。
【図３】図２のＢ−Ｂ線断面図。
【符号の説明】
１              炉体
２              回転炉床
３              ペレット状材料
７              抽出樋
８              スクリューコンベヤ
９              モータ
１２，１３      払出樋
１４            レベルセンサ
１５            コントローラ
１６，１７      ゲート弁
【図１】
0004192334.tif 000002
【図２】
0004192334.tif 000003
【図３】
0004192334.tif 000004